(57)【要約】【課題】  ドレッシングなどの内容液の注出位置を、触覚により事前に識別できて、視覚障害者であっても、手を汚すことなく、容易且つ速やかに内容液を注出して利用できるようにした、注出容器を提供する。【解決手段】  容器４とその口部６に装着したヒンジキャップ７とからなり、その容器４における内容液の注出位置２及びヒンジ部２２が特定し、これら注出位置２及びヒンジ部２２を触覚により判らせる触覚識別部５を容器４に設けることで、利用者は手指で容器４をさわれば、直ちに触覚識別部５のいずれかの触覚識別可能物体４０に触れ、注出位置２及び／またはヒンジ部２２を迅速に識別することができ、液だれ部分に手指を触れることなく、ヒンジキャップ７を開閉して内容液を注ぎ出し利用できる。【選択図】  図１
2007055621.tif 000002
【特許請求の範囲】
【請求項１】
内容液の注出位置を特定している注出口を設けた容器に、前記注出位置を触覚により判
別可能な触覚識別部を設けたことを特徴とする注出容器。
【請求項２】
内容液の注出位置を特定しているヒンジキャップを装着した容器に、前記ヒンジキャッ
プの注出位置および／またはヒンジ部を触覚により判別可能な触覚識別部を設けたことを
特徴とする注出容器。
【請求項３】
前記触覚識別部は、内容液の注出位置に誘導する触覚識別可能物体の集合体である請求
項１記載の注出容器。
【請求項４】
前記触覚識別部は、前記ヒンジキャップにおける注出位置および／またはヒンジ部に誘
導する触覚識別可能物体の集合体である請求項２記載の注出容器。
【請求項５】
前記触覚識別部は、前記容器の胴部に設けられている請求項１ないし４のいずれか１項
記載の注出容器。
【請求項６】
前記触覚識別部は、前記ヒンジキャップに設けられている請求項２ないし５のいずれか
１項記載の注出容器。
【発明の詳細な説明】
【技術分野】
【０００１】
本発明は、ドレッシングや焼肉たれなどの調味料、洗剤、柔軟剤、漂白剤、入浴剤など
の液状物を収容する注出容器に関するものであり、より詳しくは、視覚障害者でも内容液
を使用する時に、視覚に頼らずとも注出位置を触覚により事前に識別できて、注出位置が
液だれしていても、手指に触れることなく内容液を注出して利用できるようにした注出容
器に関する。
【背景技術】
【０００２】
容器の内容液や容器自体を利用する場合、通常、視覚により容器の形状や注出口の位置
等の情報を得て適切に利用しているが、視覚障害者や利用の形態、例えば、洗髪中目を開
けられないような場合には視覚により情報を得ることができないため、容器を触ることに
より情報を得て、容器の内容液や容器自体を利用することになる。このような状況から、
視覚障害者などに対して、容器の表面の触覚により、容器に関係する情報を判らせる識別
部を設けた技術として、下記に示すものが知られている。
【０００３】
特許文献１の技術は、図１２（ａ），（ｂ）に示すように、シャンプーを充填したシャ
ンプー容器ａと、リンスを充填したリンス容器ｂとが同一形状であり、いずれかの容器の
胴部、例えば、シャンプー容器ａの胴部ｃに触覚識別部ｄを設けてなるものであり、使用
者の触覚により、シャンプー及びリンスのいずれを充填している容器ａ及びｂであるかを
識別するものである。
【０００４】
特許文献２の技術は、図１３（ａ），（ｂ），（ｃ）に示すように、異なる内容液をそ
れぞれ収容した複数の容器ｅに、触覚識別する標識となる所定形状の透孔ｆ、ｇ、ｈを縦
列に所定間隔をおいて設けた合成樹脂フィルムからなるラベルｉを、これらの胴部ｃにそ
れぞれ巻き着けてなり、上記した特許文献１の場合と同様に、使用者の触覚により、いず
れの内容液を収容している容器ｅであるかを識別するものである。
【０００５】
【特許文献１】実開平５−５０１７号公報
【特許文献２】特開平７−３２９９７７号公報
【発明の開示】
【発明が解決しようとする課題】
【０００６】
特許文献１、２の技術は、いずれも人が容器ａ、ｂ、ｅ等を触ることにより、これらの
容器の内容液を識別し、内容液を適切に利用することができるものである。したがって、
これらの特許文献１、２に例示したシャンプー、リンス、カラーリンスなどの識別には、
充分威力を発揮し、これらを適切に利用することができる。しかしながら、例えば、視覚
障害者などのように、容器の形状や注出口の位置などの、内容液の識別以外の情報を得な
いと、容器の内容液や容器自体を適切に利用することができない場合もあり、このような
場合には、上記特許文献１、２記載の容器では対応できないことになる。
【０００７】
上記した内容液の識別以外の情報を得ないと、容器の内容液や容器自体を適切に利用す
ることができないケースとして、次のような容器がある。すなわち、調味料などの内容液
を収容する容器は、液だれを極力抑えるために、その口部に注出口を有した注出キャップ
が装着されている。さらに、この注出キャップは、上蓋をヒンジにて連結して開閉を容易
にすると共に、上蓋の紛失や汚損を避けることのできる、所謂ヒンジキャップである場合
が多い。このヒンジキャップは、開閉栓動作に方向性があり、上蓋の一定箇所に手指を掛
けないと、上蓋を開閉することが出来ないものである。
【０００８】
したがって、視覚障害者などは、ヒンジキャップの開閉動作を行うために、ヒンジキャ
ップを手指でなぞり、触覚により開閉の方向性を探り当て、開閉動作を行うことになる。
ところが、このような開閉動作を行った場合には、視覚障害者などは、内容液が液だれし
ている部位を手指でなぞるようなこともあって、その場合に強い不快感を覚えることにな
る。
【０００９】
以上のように、既に公知の内容液を識別できる容器では、内容液及び容器自体を適切に
利用することができないという不都合がある。
そこで、本発明の目的は、ドレッシングや焼肉たれなどのような内容液の注出位置を、
視覚に頼らずとも触覚により事前に識別できて、容易且つ速やかに内容液を注出して利用
できるようにした注出容器を提供することにある。
【課題を解決するための手段】
【００１０】
本発明は、上記目的を達成するために提案されたものであって、下記の構成からなるこ
とを特徴とするものである。
すなわち、本発明によれば、内容液の注出位置を特定している注出口を設けた容器に、
前記注出位置を触覚により判別可能な触覚識別部を設けたことを特徴とする注出容器が提
供される。
【００１１】
また、本発明によれば、内容液の注出位置を特定しているヒンジキャップを装着した容
器に、前記ヒンジキャップの注出位置および／またはヒンジ部を触覚により判別可能な触
覚識別部を、設けたことを特徴とする注出容器が提供される。
【００１２】
また、本発明によれば、前記触覚識別部は、内容液の注出位置に誘導する触覚識別可能
物体の集合体である上記注出容器が提供される。
【００１３】
また、本発明によれば、前記触覚識別部は、前記ヒンジキャップにおける注出位置およ
び／またはヒンジ部に誘導する触覚識別可能物体の集合体である上記注出容器が提供され
る。
【００１４】
また、本発明によれば、前記触覚識別部は、前記容器の胴部に設けられている上記注出
容器が提供される。
【００１５】
また、本発明によれば、前記触覚識別部は、前記ヒンジキャップに設けられている上記
注出容器が提供される。
【発明の効果】
【００１６】
本発明の注出容器は、容器胴体を手指でなぞり触覚識別部に至れば、その触覚で注出位
置を識別して、内容液を容器から注出口を通り注ぎ出すことが出来る。したがって、内容
液の注出位置を、視覚に頼らずに触覚により事前に識別できるから、注出位置に液だれが
付着していてもそれを回避でき、容易且つ速やかに内容液を注出して利用することができ
る効果がある。
【００１７】
また、本発明の注出容器は、ヒンジキャップを手指でなぞり、触覚識別部に至ればその
触覚で注出位置および／またはヒンジ部を識別して、ヒンジキャップを開き、内容液を容
器からヒンジキャップの注出口から安全に注ぎ出せる。したがって、注出位置および／ま
たはヒンジ部を、視覚に頼らずに触覚により事前に識別できるから、注出位置に液だれが
付着していてもそれを回避でき、容易且つ速やかに内容液を注出して利用することができ
、とくに視覚障害者にとっては顕著な実利的効果がある。
【００１８】
また、本発明の注出容器は、容器を手指でなぞると直ぐに曲線状または点線状で構成さ
れる集合体からなる触覚識別可能物体に至り、その集合体の誘導により注出位置および／
またはヒンジ部を直ちに識別することができる。したがって、上記効果に加えて、直ぐに
集合体の一部の触覚識別可能物体に至り、直ちに注出位置および／またはヒンジ部を識別
できる効果がある。
【００１９】
また、本発明の注出容器は、容器を手指でなぞると直ぐに集合体である触覚識別可能物
体に至り、その集合体の誘導により注出位置および／またはヒンジ部を直ちに識別する。
したがって、上記効果に加えて、直ぐに集合体の一部の触覚識別可能物体に至り、直ちに
注出位置及び／またはヒンジ部を識別できる効果がある。
【発明を実施するための最良の形態】
【００２０】
以下に、図面を参照して本発明を実施するための最良の形態を説明する。
【実施例１】
【００２１】
図１は本発明に係る注出容器を示す側面図、図２は本発明の注出容器に装着するヒンジ
キャップの断面図、図３はヒンジキャップの側面図、図４はヒンジキャップの平面図であ
る。図面において、注出容器１は、内容液の注出位置２を特定している注出口３を設けて
いる容器４に、注出位置２を触覚により判らせる触覚識別部５を設けたものであり、上記
した注出口３は、この実施例では容器４の口部６に装着してあるヒンジキャップ７の注出
筒８である。したがって、注出容器１は、容器４と、その口部６に装着したヒンジキャッ
プ７とからなる。
【００２２】
前記容器４は、口部６、胴部１０、底部１１で構成され、その内容液は、主にドレッシ
ングや焼肉たれなどの調味料、洗剤、柔軟剤、漂白剤、入浴剤などの粘性の比較的高い液
体であるが、特に限定がない。そして、容器４の口部６にネジが螺刻されて、前記ヒンジ
キャップ７が螺着脱可能に装着される。この容器４の材質は合成樹脂または金属であり、
合成樹脂を例示すれば、ポリエチレン、ポリプロピレン、ポリエチレンテレフタレートな
どであり、金属を例示すれば、アルミ材、鉄材である。なお、この実施例では、容器４の
口部６にヒンジキャップ７を装着しているが、容器４の口部６自体に注出口３を設けて、
口部６に別途上蓋を螺着脱するようなものでも良い。
【００２３】
前記ヒンジキャップ７は、図２ないし４に示すように、キャップ本体２０と上蓋２１と
がヒンジ部２２を介して連結されてなる。このキャップ本体２０は、天面２３と該天面２
３の周縁から垂下するスカート壁２４とからなり、この天面２３上に注出筒８が形成され
ており、この注出筒８の内側の天面２３には、無端状の弱化ライン２５が形成され、この
弱化ライン２５に囲まれた部分が破断除去可能な開封予定部２６となり、この開封予定部
２６を破断除去するためのプルリング２７が天面２３上に連接されている。さらに、キャ
ップ本体２０のスカート壁２４と内筒２８との間に打栓部分２９が形成され、この打栓部
分２９に容器４の口部６をあてがい打栓することで液密とする。一方、前記上蓋２１は、
天板３０と該天板３０の周縁から垂下する筒壁３１とからなり、この筒壁３１には、上蓋
２１を開閉するための指掛け凸部３２が設けられている。
【００２４】
そして、容器４には、既に述べたように、注出位置２を触覚により判らせる触覚識別部
５を設けているが、この実施例では容器４の口部６にヒンジキャップ７を装着しているか
ら、この触覚識別部５は、図５（ａ），（ｂ）に示したように、注出位置２及び／または
ヒンジ部２２を触覚により判らせるものとなる。この触覚識別部５は、内容液の注出位置
２及び／またはヒンジ部２２に誘導する触覚識別可能物体４０の集合体であり、これらの
複数の触覚識別可能物体４０は、容器４の胴部１０に、ヒンジキャップ７のヒンジ部２２
側から指掛け凸部３２の開閉口側に向け、斜め下方向にしかも左右に分かれて不連続に点在させてなる。
【００２５】
したがって、利用者は、手指で胴部１０をさわったり、手のひらで胴部を握るなどすれ
ば、直ちに集合体のいずれかの触覚識別可能物体４０に触れることになり、注出位置２及
び／またはヒンジ部２２を迅速に識別することができる。なお、この触覚識別部５は、触
覚により直ちに注出位置２及び／またはヒンジ部２２を判らせるものであれば、特に限定
がなく、触覚識別可能物体４０も凹凸のいずれでも良く、円でも角でも良く、特に限定が
ない。
【００２６】
図６（ａ），（ｂ）は他の形態の触覚識別部５ａを示すものであり、集合体としての触
覚識別可能物体４０ａが連続したものであること以外、図５（ａ），（ｂ）に示す触覚識
別部５と全く同様である。触覚識別可能物体４０ａは凹凸のいずれでも良く、特に限定が
ない。
【００２７】
図７（ａ），（ｂ）は他の形態の触覚識別部５ｂを示すものであり、集合体としての触
覚識別可能物体４０ｂが連続し、且つこの触覚識別可能物体４０ｂが胴部１０を表面処理
して、他の部分との粗さを変え識別できるようにしたものであること以外、図５（ａ），
（ｂ）に示す触覚識別部５と全く同様である。触覚識別可能物体４０ｂは不連続でも可能
であり、識別可能の表面粗さＲａは、例えば、５０μｍ以上であるが、特に限定がない。
なお、触覚識別部５、５ａ、５ｂの形成方法についても限定がなく、容器４の製造過程で
形成しても、容器４の製造後に形成しても良い。容器４の材質が金属である場合は、容器
４の製造後に触覚識別部５、５ａ、５ｂを形成した方が有利な場合が多い。
【００２８】
図８、９はヒンジキャップ７に触覚識別部４１を設けたものを示すもので、この触覚識
別部４１は、連続してヒンジキャップ７における上蓋２１の天板３０及び筒壁３１上に、
指掛け凸部３２からヒンジ部２２にかけて２等分するように設け、さらにヒンジ部２２を
通り越しキャップ本体２０のスカート壁２４まで設けている。したがって、利用者がヒン
ジキャップ７を手指でさわれば、直ちに触覚識別部４１に触れることになり、注出位置２
及び／またはヒンジ部２２を迅速に識別することができる。この触覚識別部４１は、容器
４の触覚識別部５、５ａ、５ｂと併設しても、単独でも良い。なお、この触覚識別部４１
は、触覚により直ちに注出位置２及び／またはヒンジ部２２を判らせるものであれば、特
に限定がなく、その形態は上記した触覚識別部５、５ａ、５ｂのものを流用することがで
きる。
【００２９】
図１０、１１はヒンジキャップ７に触覚識別部４１ａを設けたものを示すもので、この
触覚識別部４１ａは、不連続であり、上蓋２１の指掛け凸部３２側の筒壁３１上、天板３
０上及びヒンジ部２２側の筒壁３１上に、２等分するようにそれぞれ設け、さらにヒンジ
部２２を通り越しキャップ本体２０のスカート壁２４まで設けている。それ以外は、図８
、９の触覚識別部４１と同様である。
【００３０】
次に、上記構成になる注出容器１の使用方法について説明する。
まず、利用者は、手指または手のひらで図１の状態の注出容器１をさわると、容器４の
胴部１０にある触覚識別部５、５ａ、５ｂに直ちに触れることになる。すなわち、触覚識
別部５、５ａ、５ｂは、容器４の胴部１０に、複数の不連続の触覚識別可能物体４０、連
続している触覚識別可能物体４０ａ、４０ｂを、上述の通り、ヒンジ部２２側から指掛け
凸部３２側に向け、斜め下方向にしかも左右に分かれて存在させているから、利用者の手
指が直ちに触れることになり、その触覚により注出位置２及び／またはヒンジ部２２がど
こにあるのがが判る。したがって、利用者は、手を汚すことなく、確実に指掛け凸部３２
に手指をかけてヒンジキャップ７の上蓋２１を開き、プルリング２７に指をかけて開封し
、引き続き、注出筒８の注出位置２も認識しているから、容器４を傾けて他の容器に内容
液を注ぎ出し、利用することが出来る。
【００３１】
内容液を利用し終わったら、利用者は再び容器４の胴部１０に触れて、注出位置２及び
／またはヒンジ部２２を認識して、液だれしている注出位置２などに触れることなく、上
蓋２１を閉じることができる。再度、容器４の内容液を利用する場合も、上記したのと同
じ手順にて上蓋２１を開き、内容液を注ぎ出し利用して、再び上蓋２１を閉じて利用を終
了する。
【００３２】
また、図８ないし１１に示すように、ヒンジキャップ７に触覚識別部４１、４１ａを設
けているものも、その使用方法は図１ないし７に示す場合とほぼ同様であり、異なるのは
ヒンジキャップ７を手指にてさわり、その触覚により注出位置２及び／またはヒンジ部２
２がどこにあるのかを認識する点である。なお、ヒンジキャップ７及び胴部１０の双方に
触覚識別部４１、４１ａ及び触覚識別部５、５ａ、５ｂを設けてあるものは、片方あるい
は双方で注出位置２及び／またはヒンジ部２２がどこにあるのかを容易に認識することが
できる。
【００３３】
以上、本発明の実施例１を説明したが、具体的な構成はこれに限定されず、本発明の要
旨を逸脱しない範囲での変更は適宜可能であることは理解されるべきである。
【産業上の利用可能性】
【００３４】
本発明の注出容器は、容器が円筒や多角筒で触覚だけでは方向性が不明であり、蓋がヒ
ンジキャップのように開閉方向が一定しているような場合に、利用可能性が極めて高くな
る。
【図面の簡単な説明】
【００３５】
【図１】本発明の実施例１に係る注出容器を示す正面図である。
【図２】実施例１の注出容器に装着するヒンジキャップの断面図である。
【図３】図２のヒンジキャップの側面図である。
【図４】図２のヒンジキャップの平面図である。
【図５】容器に触覚識別部を設けた容器の表裏の形態（ａ），（ｂ）を示す概要図である。
【図６】容器に他の触覚識別部を設けた容器の表裏の形態（ａ），（ｂ）を示す概要図である。
【図７】容器に他の触覚識別部を設けた容器の表裏の形態（ａ），（ｂ）を示す概要図である。
【図８】ヒンジキャップに触覚識別部を設けた状態を示す側面図である。
【図９】ヒンジキャップに触覚識別部を設けた状態を示す平面図である。
【図１０】ヒンジキャップに他の触覚識別部を設けた状態を示す側面図である。
【図１１】ヒンジキャップに他の触覚識別部を設けた状態を示す平面図である。
【図１２】従来例の容器の組み合わせ（ａ），（ｂ）を示す側面図である。
【図１３】従来例の容器の組み合わせ（ａ），（ｂ），（ｃ）を示す側面図である。
【符号の説明】
【００３６】
１                        注出容器
２                        内容液の注出位置
３                        注出口
４，ｅ                    容器
５，５ａ，５ｂ，４１，    触覚識別部
４１ａ，ｄ                                                                
６                        口部
７                        ヒンジキャップ
８                        注出口
１０，ｃ                  胴部
１１                      底部
２０                      キャップ本体
２１                      上蓋
２２                      ヒンジ部
２３                      天面
２４                      スカート壁
２５                      弱化ライン
２６                      開封予定部
２７                      プルリング
２８                      内筒
２９                      打栓部分
３０                      天板
３１                      筒壁
３２                      指掛け凸部
４０，４０ａ，４０ｂ      触覚識別可能物体
４１，４１ａ              触覚識別部
ａ                        シャンプー容器
ｂ                        リンス容器
ｆ，ｇ，ｈ                透孔
ｉ                        ラベル
【図１】
2007055621.tif 000003
【図２】
2007055621.tif 000004
【図３】
2007055621.tif 000005
【図４】
2007055621.tif 000006
【図５】
2007055621.tif 000007
【図６】
2007055621.tif 000008
【図７】
2007055621.tif 000009
【図８】
2007055621.tif 000010
【図９】
2007055621.tif 000011
【図１０】
2007055621.tif 000012
【図１１】
2007055621.tif 000013
【図１２】
2007055621.tif 000014
【図１３】
2007055621.tif 000015